(57)【要約】  発熱素子に直接または間接的に接触する部位から冷却液に接触する部位に至る間の熱抵抗が、冷却液の流通する方向の異なる位置の間で異なる値に設定されたヒートシンクを備え、発熱素子の上流端から下流端の温度差を抑制出来るようにした。
2016194158.tif 000002
【特許請求の範囲】
【請求項１】
内部に冷却液を流通させる冷却液通路を備えたジャケットと、少なくとも一つの発熱素子に直接または間接的に接触すると共に前記ジャケットの内部を流通する前記冷却液に接触するヒートシンクとを備え、前記発熱体が発生した熱を前記ヒートシンクを介して前記冷却液に伝達して放熱するようにした液冷冷却器であって、
前記ヒートシンクは、前記発熱素子に直接または間接的に接触する部位から前記冷却液に接触する部位に至る間の熱抵抗が、前記冷却液の流通する方向の異なる位置との間で異なる値に設定されている、
ことを特徴とする液冷冷却器。
【請求項２】
前記ヒートシンクの前記熱抵抗の値は、前記ジャケットの内部を流通する前記冷却液の下流側に向かって減少するように設定されている、
ことを特徴とする請求項１に記載の液冷冷却器。
【請求項３】
前記ヒートシンクの前記熱抵抗の値の減少は、前記冷却液の流通する方向に対して直交する方向に於ける前記冷却液通路の断面積を減少させることにより行われる、
ことを特徴とする請求項２に記載の液冷冷却器。
【請求項４】
前記ヒートシンクは、前記冷却液に接触する複数個の放熱フィンを備え、
前記冷却液通路の前記断面積の減少は、前記冷却液の流通する方向に対して直交する方向に、前記複数個の放熱フィンの長さを増大させることにより行われる、
ことを特徴とする請求項３に記載の液冷冷却器。
【請求項５】
前記ヒートシンクは、前記冷却液に接触する複数個の放熱フィンを備え、
前記冷却液通路の断面積の減少は、前記冷却液通路の単位面積当たりに配置される前記放熱フィンの個数を増大させることにより行われる、
ことを特徴とする請求項３に記載の液冷冷却器。
【請求項６】
前記ヒートシンクは、前記冷却液に接触する複数個の放熱フィンを備え、
前記冷却液通路の断面積の減少は、前記放熱フィンの1個当たりの体積を増大させることにより行われる、
ことを特徴とする請求項３記載の液冷冷却器。
【請求項７】
前記発熱体は、複数個設けられており、
前記ヒートシンクは、前記冷却液の流通する方向の異なる位置で個々の前記発熱素子に直接または間接的に接触しており、
前記ヒートシンクの前記異なる位置に於ける前記熱抵抗は、前記複数個の発熱素子の冷却優先順位に応じて、異なる値に設定されている、
ことを特徴とする請求項１に記載の液冷冷却器。
【請求項８】
内部に冷却液を流通させるジャケットと、前記ジャケットの内部を流通する前記冷却液に接触するヒートシンクとを備え、発熱体が発生した熱を前記ヒートシンクを介して前記冷却液に伝達して放熱するようにした液冷冷却器であって、
前記ヒートシンクは、
前記ジャケットの内部に対向する第１の面部を有するヒートシンクベース部材と、
前記ヒートシンクベース部材の前記第１の面部に設けられ、前記ジャケットの内部を流通する前記冷却液に接触する複数の放熱フィンと、
を備え、
前記複数の放熱フィンは、前記ジャケットの内部を流通する前記冷却液の下流側に向かって傾斜している、
ことを特徴とする液冷冷却器。
【請求項９】
前記放熱フィンは、三角柱、四角柱、若しくは六角柱により構成され、
前記放熱フィンの側面は、隣接する他の放熱フィンの側面に対して平行である、
ことを特徴とする請求項８に記載の液冷冷却器。
【請求項１０】
前記放熱フィンは、
前記ヒートシンクベース部材の前記第１の面部に接し、前記ジャケットの内部を流通する前記冷却液の下流側に向かって傾斜する傾斜部と、
前記傾斜部から前記第１の面部に対して直立する直立部と、
を備えている、
ことを特徴とする請求項８又は９に記載の液冷冷却器。
【請求項１１】
請求項８又は９に記載の液冷冷却器に於ける放熱フィンの製造方法であって、
前記ヒートシンクベース部材の前記第１の面部に、前記第１の面部から所定の寸法で突出するプレート状の放熱フィン領域を形成し、
所定間隔で配置した直径が異なる複数の円形刃を回転させ、前記放熱フィン領域を前記複数の円形刃により、前記第１の面部に対して傾斜した角度で同時に切削して前記複数の放熱フィンを形成する、
ことを特徴とする液冷冷却器に於ける放熱フィンの製造方法。
【請求項１２】
請求項１０に記載の液冷冷却器に於ける放熱フィンの製造方法であって、
前記ヒートシンクベース部材の前記第１の面部に、前記第１の面部から所定の寸法で突出する互いに平行に配置された複数の突条体を形成し、
前記複数の突条体は、前記第１の面部に接して設けられ、前記第１の面部に対して所定方向に傾斜して傾斜突条部と、前記傾斜突条部に接して設けられ、前記第１の面部に対して直立する直立突条部とからなり、
前記複数の突条体を切削加工することにより、前記複数の放熱フィンを形成する、
ことを特徴とする液冷冷却器に於ける放熱フィンの製造方法。
【発明の詳細な説明】
【技術分野】
【０００１】
この発明は、発熱体からの熱を冷却液に放出するヒートシンクを備えた液冷冷却器、及び液冷冷却器に於ける放熱フィンの製造方法に関するものである。
【背景技術】
【０００２】
近年、ＣＰＵ（central  processing  unit）、ＬＳＩ（large-scale  integration）、パワー半導体素子等の発熱素子の発熱密度が増大し高温になることから、従来の空冷冷却器よりも冷却性能が高い液冷冷却器が用いられることがある。冷却用のフィンを設けたフィン領域が冷却液の流通方向に長く形成された液冷式冷却装置に於いては、冷却液の下流領域では上流領域に配置された発熱素子からの受熱により、冷却液の温度が上流領域よりも高温となる。【０００３】
そのため、下流領域の冷却液に熱的に接続されている発熱素子は、上流領域の冷却液に熱的に接続されている発熱素子よりも高温となり、発熱素子間に温度差が生じる。発熱素子間に温度差が生じると、発熱素子の寿命のばらつきや、発熱素子の特性のばらつきが生じるという課題があるため、上流領域の冷却液と下流領域の冷却液に温度差が生じたとしても、上流領域の発熱素子と下流領域の発熱素子には温度差を生じさせない工夫を施すことが望まれる。【０００４】
従来、発熱素子を冷却液の流通方向に対して並列に配置することにより、発熱素子間の温度差を解消する技術が提案されている（例えば、特許文献1参照）。又、フィン領域が冷却液の流通方向に長い液冷式冷却装置においては、冷却液の流通方向に垂直な断面では、発熱面に近い領域ほど温度上昇が大きく、発熱面から遠い領域ほど温度上昇が小さくなる。放熱量は、発熱素子と冷却液の温度差に比例することから、冷却液に不均一な温度分布が生じて発熱面に近い領域の冷却液が高温になると、冷却能力が低下する。【０００５】
冷却性能の低下を抑制するためには、冷却液の温度分布を冷却液の流通方向に垂直な断面で一様にする必要があり、冷却液の温度分布を冷却液の流通方向に垂直な断面で一様にするには冷却液を十分に撹拌する方法が有効である。このため、従来、冷却液通路内の対向する２面にフィンを配置することで冷却液を撹拌するようにした液冷冷却器（例えば、特許文献２参照）や、櫛歯状の放熱フィンの表面に、冷却液を案内する凹凸を設けることで冷却液を撹拌するようにした液冷冷却器（例えば、特許文献３参照）が提案されている。
【先行技術文献】
【特許文献】
【０００６】
【特許文献１】特許第４６９９８２０号公報
【特許文献２】特開２００２−１４１１６４号公報
【特許文献３】特開２０１２−０３３９６６号公報
【発明の概要】
【発明が解決しようとする課題】
【０００７】
前述の特許文献２に開示された水冷式冷却器は、冷却液の下流領域では上流領域の発熱素子からの受熱により、冷却液の温度が上流領域よりも高温となる。そのため、下流領域の冷却液に熱的に接続されている発熱素子は、上流領域の冷却液に熱的に接続されている発熱素子よりも高温となり、発熱素子間に温度差が生じていた。発熱素子間に温度差が生じると、発熱素子の寿命のばらつきや、発熱素子の特性のばらつきが生じるという課題があった。【０００８】
又、冷却器の対向する２面にフィンを配置する構造であり、放熱に寄与するフィンは発熱素子と熱的に接続された面に配置されたフィンのみである。他方の面に配置されたフィンは冷却液を撹拌する役割を果たしているが、放熱には寄与していない。このように特許文献２に開示された従来の液冷冷却器は、放熱に寄与しないフィンを冷却器内に設ける必要があるため、冷却器は大型化するという課題があった。【０００９】
更に、前述した特許文献１に開示された従来の水冷式冷却器は、発熱素子間の温度差は解消されているが、流路は６並列となり、各発熱素子に流れる冷却液流量は直列流路の場合と比較して１／６となる。そのため発熱素子の上流側と下流側との間の温度差は、直列流路の場合と比較して６倍となり、発熱素子内での温度差により、発熱素子内部の電流分布の悪化、電流集中による発熱素子の局部過熱による破壊、短絡耐量の低下等の新たな課題があった。又、冷却液の流通に対して並列に配置された各発熱素子に均一な流量の冷却液を送るために流路集合部（ヘッダ）を設ける必要があり、小型化が困難であるという課題があった。【００１０】
前述した特許文献３に開示された従来の液冷冷却器は、櫛歯状の放熱フィンの表面に冷却液を案内する凹凸を設けることで冷却液を撹拌する構造となっており、放熱フィンは発熱素子と熱的に接続された面のみに配置する構造であるため、ある程度の小型化は可能であるものの、放熱フィン表面の凹凸から離れた領域、即ち放熱フィンと放熱フィンの中間付近に流入した冷却液は、凹凸の影響を受けることができず、十分な撹拌効果を得られないという課題があった。【００１１】
以上述べたように、従来の冷却器の関する技術では、冷却液の上流領域と下流領域に配置された発熱素子間の温度差の抑制と、各発熱素子の上流端側と下流端側の温度差の抑制と、冷却液の温度分布を冷却液の流通方向に垂直な断面で一様にするために冷却液を撹拌する効果が十分にある小型な放熱フィンの実現が課題であった。【００１２】
この発明は、従来の技術に於ける前述のような課題を解決するためになされたものであり、各発熱素子の上流端から下流端の温度差を抑制出来る液冷冷却器を提供することを目的とする。【００１３】
又、この発明は、冷却液を効果的に撹拌することが出来る放熱フィンを備えた液冷冷却器を提供することを目的とする。【００１４】
更に、この発明は、液冷冷却器に於ける放熱フィンを容易に製造することが出来る放熱フィンの製造方法を提供することを目的とする。
【課題を解決するための手段】
【００１５】
この発明による液冷冷却器は、
内部に冷却液を流通させる冷却液通路を備えたジャケットと、少なくとも一つの発熱素子に直接または間接的に接触すると共に前記ジャケットの内部を流通する前記冷却液に接触するヒートシンクとを備え、前記発熱体が発生した熱を前記ヒートシンクを介して前記冷却液に伝達して放熱するようにした液冷冷却器であって、
前記ヒートシンクは、前記発熱素子に直接または間接的に接触する部位から前記冷却液に接触する部位に至る間の熱抵抗が、前記冷却液の流通する方向の異なる位置との間で異なる値に設定されている、
ことを特徴とする。【００１６】
又、この発明による液冷冷却器は、
内部に冷却液を流通させるジャケットと、前記ジャケットの内部を流通する前記冷却液に接触するヒートシンクとを備え、発熱体が発生した熱を前記ヒートシンクを介して前記冷却液に伝達して放熱するようにした液冷冷却器であって、
前記ヒートシンクは、
前記ジャケットの内部に対向する第１の面部を有するヒートシンクベース部材と、
前記ヒートシンクベース部材の前記第１の面部に設けられ、前記ジャケットの内部を流通する前記冷却液に接触する複数の放熱フィンと、
を備え、
前記複数の放熱フィンは、前記ジャケットの内部を流通する前記冷却液の下流側に向かって傾斜している、
ことを特徴とする。【００１７】
更に、この発明による液冷冷却器に於ける放熱フィンの製造方法は、
前記ヒートシンクベース部材の前記第１の面部に、前記第１の面部から所定の寸法で突出するプレート状の放熱フィン領域を形成し、
所定間隔で配置した直径が異なる複数の円形刃を回転させ、前記放熱フィン領域を前記複数の円形刃により、前記第１の面部に対して傾斜した角度で同時に切削して前記複数の放熱フィンを形成する、
ことを特徴とする。【００１８】
又、この発明による液冷冷却器に於ける放熱フィンの製造方法は、
前記ヒートシンクベース部材の前記第１の面部に、前記第１の面部から所定の寸法で突出する互いに平行に配置された複数の突条体を形成し、
前記複数の突条体は、前記第１の面部に接して設けられ、前記第１の面部に対して所定方向に傾斜して傾斜突条部と、前記傾斜突条部に接して設けられ、前記第１の面部に対して直立する直立突条部とからなり、
前記複数の突条体を切削加工することにより、前記複数の放熱フィンを形成する、
ことを特徴とする。
【発明の効果】
【００１９】
この発明による液冷冷却器によれば、前記ヒートシンクは、前記発熱素子に直接または間接的に接触する部位から前記冷却液に接触する部位に至る間の熱抵抗を、前記冷却液の流通する方向の異なる位置との間で異なる値に設定されているので、各発熱素子の上流端から下流端の温度差を抑制することが出来る。【００２０】
又、この発明による液冷冷却器によれば、複数の放熱フィンは、ジャケットの内部を流通する冷却液の下流側に向かって傾斜するように構成されているので、冷却液は放熱フィンの側面に沿って、ヒートシンクベース部材の第１の面部に対して平行な方向と、垂直な方向の双方向に撹拌され、冷却液の温度分布を冷却液の流通方向に垂直な断面で一様にでき冷却性能の低下を抑制することが出来る。従って、放熱フィンを発熱素子が配置される面にのみ配置するだけでよいため、液冷冷却器を小型化出来るという効果を奏する。又、冷却液の流路集合部分であるヘッダを設ける必要がなく、液冷冷却器を小型化出来るという効果を奏する。【００２１】
更に、この発明による液冷冷却器に於ける放熱フィンの製造方法によれば、前記ヒートシンクベース部材の第１の面部に、前記第１の面部から所定の寸法で突出するプレート状の放熱フィン領域を形成し、所定間隔で配置した直径が異なる複数の円形刃を回転させ、前記放熱フィン領域を前記複数の回転刃により、前記第１の面部に対して傾斜した角度で同時に切削して前記複数の放熱フィンを形成するようにしたので、傾斜した放熱フィンを極めて容易に形成することが出来る。【００２２】
又、この発明による液冷冷却器に於ける放熱フィンの製造方法によれば、前記ヒートシンクベース部材の前記第１の面部に、前記第１の面部から所定の寸法で突出する互いに平行に配置された複数の突条体を形成し、前記複数の突条体は、前記第１の面部に接して設けられ、前記第１の面部に対して所定方向に傾斜して傾斜突条部と、前記傾斜突条部に接して設けられ、前記第１の面部に対して直立する直立突条部とからなり、前記複数の突条体を切削加工することにより、前記複数の放熱フィンを形成するようにしたので、傾斜部とこの傾斜部に接する直立部を有する放熱フィンを、極めて容易に形成することが出来る。  
【図面の簡単な説明】
【００２３】
【図１】この発明の実施の形態１による液冷冷却器の分解斜視図である。
【図２】この発明の実施の形態１による液冷冷却器の平面図である。
【図３】図２のＷ−Ｗ線に沿う矢視断面を模式的に示す説明図である。
【図４】この発明の実施の形態２による液冷冷却器の分解斜視図である。
【図５】この発明の実施の形態２による液冷冷却器の変形例の分解斜視図である。
【図６】この発明の実施の形態３による液冷冷却器の冷却液流通方向の断面図である。
【図７】この発明の実施の形態４による液冷冷却器に於けるヒートシンクを示す斜視図である。
【図８】この発明の実施の形態５による液冷冷却器に於けるヒートシンクを示す斜視図である。
【図９】この発明の実施の形態６による液冷冷却器に於けるヒートシンクを示す斜視図である。
【図１０】この発明の実施の形態６による液冷冷却器に於けるヒートシンクの説明図である。
【図１１】この発明の実施の形態６による液冷冷却器に於けるヒートシンクの説明図である。
【図１２Ａ】液冷冷却器の放熱性能を説明するグラフである。
【図１２Ｂ】この発明の実施の形態６による液冷冷却器の放熱フィンを説明する模式図である。
【図１２Ｃ】この発明に対する比較例の液冷冷却器の放熱フィンを説明する模式図である。
【図１３】この発明の実施の形態７による液冷冷却器に於ける放熱フィンを示す説明図である。
【図１４】この発明の実施の形態７による液冷冷却器に於ける放熱フィンの変形例を示す説明図である。
【図１５】この発明の実施の形態７による液冷冷却器に於ける放熱フィンの更に別の変形例を示す説明図である。
【図１６】この発明の実施の形態８による液冷冷却器の放熱フィンの製造方法を示す説明図である。
【図１７】この発明の実施の形態８による液冷冷却器の放熱フィンの製造方法を示す説明図である。
【図１８】この発明の実施の形態９による液冷冷却器のヒートシンクを示す斜視図である。
【図１９】この発明の実施の形態９による液冷冷却器のヒートシンクを示す側面図である。
【図２０】この発明の実施の形態９による液冷冷却器の放熱フィンの製造方法を説明するための斜視図である。
【発明を実施するための形態】
【００２４】
実施の形態１．
以下、この発明の実施の形態１による液冷冷却器について、図面を参照して詳細に説明する。図１は、この発明の実施の形態１による液冷冷却器の分解斜視図、図２は、この発明の実施の形態１による液冷冷却器の平面図、図３は、図２のＷ−Ｗ線に沿う矢視断面を模式的に示す説明図である。図１及び図３に示す矢印Ａは、水等の冷却液の流通方向を示している。図１、及び図２に於いて、液冷冷却器１００は、内部に冷却液を流通させるジャケットとしてのウォータージャケット７と、ヒートシンク４０と、冷却液入口パイプ８と、冷却液出口パイプ９とを備えている。
【００２５】
ウォータージャケット７は、底部７１と、この底部７１に一体に形成された周壁部７２と、底部７１と周壁部７２とに囲まれた冷却液通路６とを備えている。冷却液通路６の反底部７１側は、開放されている。周壁部７２は、相対向する一対の短辺部７２１、７２２と、相対向する一対の長辺部７２３、７２４とを備える。周壁部７２に固定された冷却液入口パイプ８は、周壁部７２の一方の短辺部７２１を貫通して冷却液通路６内に開口している。周壁部７２に固定された冷却液出口パイプ９は、周壁部７２の他方の短辺部７２２を貫通して冷却液通路６内に開口している。
【００２６】
ヒートシンク４０は、ヒートシンクベース部材４と、ヒートシンクベース部材４の第１の面部４１に形成された後述する多数の放熱フィン５とを備える。ヒートシンク４０は、第１の面部４１が冷却液通路６に対向するようにウォータージャケット７の周壁部７２に液密に固定され、冷却液通路６を閉塞する。即ち、冷却液通路６は、ウォータージャケット７の底部７１と周壁部７２とヒートシンクベース部材４とにより形成された空間により形成されている。ヒートシンク４０の第１の面部４１に形成された放熱フィン５は、ウォータージャケット７の冷却液通路６内に挿入されている。ヒートシンク４０の第２の面部４２には、パワー半導体素子等の第１の発熱素子１と、第２の発熱素子２と、第３の発熱素子３が夫々固着されている。
【００２７】
水等の液体からなる冷却液は、冷却液入口パイプ８からウォータージャケット７の冷却液通路６内に流入し、冷却液出口パイプ９から冷却液通路６外へ排出される。冷却液通路６内に流入した冷却液は、放熱フィン５及びヒートシンクベース部材４を介して第１の発熱素子１、第２の発熱素子２、及び第３の発熱素子３を冷却する。ここで、第１の発熱素子１は、他の発熱素子に対して冷却液通路６に於ける冷却液の流通方向Ａの最も上流側に配置され、第３の発熱素子３は、他の発熱素子に対して冷却液通路６に於ける冷却液の流通方向Ａの最も下流側に配置され、第２の発熱素子２は、第１の発熱素子１と第３の発熱素子３との間に配置されている。
【００２８】
次に、図３に於いて、Ｒ１Ｕは発熱素子１の上流側部位と冷却液との間の熱抵抗、Ｒ１Ｄは発熱素子１の下流側部位と冷却液との間の熱抵抗、Ｒ２Ｕは発熱素子２の上流側部位と冷却液との間の熱抵抗、Ｒ２Ｄは発熱素子２の下流側部位と冷却液との間の熱抵抗、Ｒ３Ｕは発熱素子３の上流側部位と冷却液との間の熱抵抗、Ｒ３Ｄは発熱素子３の下流側部位と冷却液との間の熱抵抗、を夫々示している。ここで、夫々の熱抵抗の値の相対的関係は、下記のように、冷却液の温度上昇に鑑みて、冷却液の流通方向に連続的に減少するように設定されている。
Ｒ１Ｕ＞Ｒ１Ｄ＞Ｒ２Ｕ＞Ｒ２Ｄ＞Ｒ３Ｕ＞Ｒ３Ｄ
【００２９】
又、Ｔｗ１Ｕは発熱素子１の上流側部位の直下の冷却液温度、Ｔｗ１Ｄは発熱素子１の下流側部位の直下の冷却液温度、Ｔｗ２Ｕは発熱素子２の上流側部位の直下の冷却液温度、Ｔｗ２Ｄは発熱素子２の下流側部位の直下の冷却液温度、Ｔｗ３Ｕは発熱素子３の上流側部位の直下の冷却液温度、Ｔｗ３Ｄは発熱素子３の下流側部位の直下の冷却液温度、を夫々示している。冷却液は、その下流領域に於いて上流領域に配置された発熱素子からの受熱により、上流領域よりも高温となる。従って、冷却液の前述の温度の相対的関係は下記の通りとなる。
Ｔｗ１Ｕ＜Ｔｗ１Ｄ＜Ｔｗ２Ｕ＜Ｔｗ２Ｄ＜Ｔｗ３Ｕ＜Ｔｗ３Ｄ

【００３０】
更に、Ｔｃ１Ｕは発熱素子１の上流側部位の温度、Ｔｃ１Ｄは発熱素子１の下流側部位の温度、Ｔｃ２Ｕは発熱素子２の上流側部位の温度、Ｔｃ２Ｄは発熱素子２の下流側部位の温度、Ｔｃ３Ｕは発熱素子３の上流側部位の温度、Ｔｃ３Ｄは発熱素子３の下流側部位の温度、を夫々示している。
【００３１】
ここで、発熱素子１、２、３の発熱量が全て等しいと仮定すると、発熱素子１、２、３は冷却液の温度差の影響を受け、本来は
Ｔｃ１Ｕ＜Ｔｃ１Ｄ＜Ｔｃ２Ｕ＜Ｔｃ２Ｄ＜Ｔｃ３Ｕ＜Ｔｃ３Ｄ

となり、発熱素子間に温度差が生ずる筈である。
【００３２】
しかし、この発明の実施の形態１による液冷では、前述のように冷却液の温度上昇に応じて熱抵抗を冷却液の流通方向に連続的に減少するように設定されているため、発熱素子１、２、３の間の温度差は抑制される。更に、熱抵抗を適切に調整することにより、全ての発熱素子の温度を等しい温度にすることが出来る。即ち、
Ｔｃ１Ｕ=Ｔｃ２Ｕ=Ｔｃ３Ｕ
Ｔｃ１Ｄ=Ｔｃ２Ｄ=Ｔｃ３Ｄ

とすることが出来る。その結果、発熱素子間の温度のばらつきに起因する発熱素子の寿命のばらつきや、発熱素子の特性のばらつきが抑制される。
【００３３】
又、夫々の発熱素子内の温度を等しい温度にすることが出来る。即ち、
Ｔｃ１Ｕ=Ｔｃ１Ｄ、Ｔｃ２Ｕ=Ｔｃ２Ｄ、Ｔｃ３Ｕ=Ｔｃ３Ｄ

とすることが出来る。その結果、発熱素子内の温度差に起因する、発熱素子内部の電流分布の悪化、電流集中による発熱素子の局部過熱による破壊、短絡耐量の低下が抑制される。
【００３４】
前述のように、熱抵抗は冷却液の流通方向に連続的に減少するように設定されているが、その熱抵抗の設定は、具体的には例えば下記の手段のうちの何れか、若しくはそれらの手段を組み合わせることで行うことが出来る。
（１）放熱フィンの放熱能力を冷却液の流通方向の下流側に向かって順次大きくする。
（２）ヒートシンクベース部材４の肉厚を冷却液の流通方向の下流側に向かって漸次薄くする。
（３）異種材料を接合してヒートシンクベース部材４を形成することにより、ヒートシンクベース部材４の熱伝導率を冷却液の流通方向の下流側に向かって漸次大きくする。
（４）熱伝導フィラーをヒートシンクベース部材４の材料に混合し、ヒートシンクベース部材４の熱伝導率を冷却液の流通方向の下流側に向かって漸次大きくする。
【００３５】
尚、以上の説明では、簡単のため発熱素子が３個である場合を例にとって説明したが、当然ながら発熱素子は何個であっても良い。又、前述の説明では発熱素子の発熱量は全て等しいと仮定したが、当然ながら発熱量は発熱素子毎に異なっていて良く、各発熱素子の発熱量に応じて熱抵抗を増減させても良い。
【００３６】
放熱フィン５の形状は、所定の厚さを有する板を複数並べたものや、円柱、楕円柱、円錐、楕円錐、多角柱、多角推等の柱を複数並べたものであって良い。又、熱抵抗は必ずしも冷却液の流通方向の下流側に向かって漸次減少させる必要は無く、発熱素子の冷却優先順位に応じて、冷却液通路６の内部で適宜増減させても良い。
【００３７】
実施の形態２．
次に、この発明の実施の形態２による液冷冷却器について説明する。この発明の実施の形態２による液冷冷却器は、冷却液の流通方向の最も上流側に配置した発熱素子から最も下流側に配置した発熱素子に至るまでの間に於いて、冷却液の温度上昇に応じて冷却液通路の断面積を変化させたことを特徴としている。
【００３８】
図４はこの発明の実施の形態２による液冷冷却器の分解斜視図、図５はこの発明の実施の形態２による液冷冷却器の変形例の分解斜視図である。図４及び図５に示す矢印Ａは、冷却液の流通方向を示している。図４、及び図５に於いて、Ｖ１は、冷却液通路６の断面積が大きい領域に於ける冷却液の流速、Ｖ２は、冷却液通路６の断面積が小さい領域に於ける冷却液の流速、を夫々示している。
【００３９】
この発明の実施の形態２による液冷冷却器は、冷却液通路６に於ける冷却液の最上流側から最下流側に至るまでの連続的冷却液温度上昇に対応して冷却液通路６の断面積を減少するように構成している。そのため、冷却液通路６の断面積の減少に応じて冷却液の流速が増加する（V-1  ＜V2となる）。冷却液の流速が増加すると、放熱フィン５の放熱能力が増加するため、熱抵抗が減少する。
【００４０】
図４に示すこの発明の実施の形態２の液冷冷却器では、冷却液通路６の断面積をウォータージャケット７の幅方向に、冷却液の流通方向の下流側に向かって漸次減少させるようにしている。この場合、放熱フィン５の本数は、冷却液通路６の断面積に応じて調整されている。即ち、冷却液の流通方向Ａの下流側に向かって放熱フィン５の本数は漸次少なくなっている。
【００４１】
図５に示すこの発明の実施の形態２による液冷冷却器の変形例では、冷却液通路６の断面積を、ウォータージャケット７の厚さ方向、つまり冷却液の流通方向に直交する方向（高さ方向）に、冷却液の流通方向の下流側に向かって漸次減少させるようにしている。この場合、放熱フィン５の高さは、冷却液通路６の断面積に応じて調整されている。即ち、冷却液の流通方向Ａの下流側に向かって放熱フィン５の高さは漸次小さくなっている。
【００４２】
尚、冷却液通路６の断面積は、必ずしも冷却液の流通方向の下流側に向かって漸次減少させる必要は無く、発熱素子の冷却優先順位に応じて、適宜増減させて良い。
【００４３】
実施の形態３．
次に、この発明の実施の形態３による液冷冷却器について説明する。この発明の実施の形態３による液冷冷却器は、冷却液の流通方向の最も上流側に配置した発熱素子から最も下流側に配置した発熱素子に至るまでの間に於いて、冷却液の温度上昇に応じて放熱フィンの高さを変化させるようにしたことを特徴とする。
【００４４】
図６は、この発明の実施の形態３による液冷冷却器の冷却液流通方向の断面図である。図６に示す矢印Ａは、冷却液の流通方向を示している。図６に示すように、冷却液の流通方向の最も上流側に配置した発熱素子１から最も下流側に配置した発熱素子３に至るまでの間に於いて、放熱フィン５の高さは、冷却液の流通方向Ａの下流側に向かって漸次大きくなるように構成されている。その結果、放熱フィンの表面積は、放熱フィン５の高さの増加に応じて増加する。放熱フィン５の表面積が増加すると、放熱フィン５の放熱能力が増加するため、熱抵抗が減少する。
【００４５】
尚、放熱フィン５の高さは、必ずしも冷却液の流通方向の下流側に向かって漸次大きくする必要は無く、発熱素子の冷却優先順位に応じて、適宜増減させて良い。
【００４６】
実施の形態４．
次に、この発明の実施の形態４による液冷冷却器について説明する。この発明の実施の形態４による液冷冷却器は、冷却液の流通方向の最も上流側に配置した発熱素子から最も下流側に配置した発熱素子に至るまでの間に於いて、冷却液の温度上昇に応じて、放熱フィンが配置される領域の単位面積当たりの放熱フィンの個数を変化させることを特徴とする。
【００４７】
図７は、この発明の実施の形態４による液冷冷却器に於けるヒートシンクを示す斜視図であって、放熱フィンが図の上方となるようにして示したものである。図７に於ける矢印Ａは、冷却液の流通方向を示している。図７に示すように、冷却液の流通方向の最も上流側に配置した発熱素子から最も下流側に配置した発熱素子に至るまでの間に於いて、冷却液の温度上昇に応じて、つまり冷却液の流通方向の下流側に向かって、放熱フィンが配置される領域の単位面積当たりの放熱フィン５の個数は、漸次増加する。
【００４８】
放熱フィン５の個数が増加すると、放熱フィン５の表面積が全体として増加すると共に、冷却液通路６の断面積も減少するため、冷却液の流速が増加する。放熱フィン５の表面積が増加し、冷却液の流速が増加することにより、放熱フィン５の放熱能力が増加するため、熱抵抗が減少する。
【００４９】
尚、放熱フィン５が配置される領域の単位面積当たりの放熱フィン５の個数は、必ずしも冷却液の流通方向に下流側に向かって増加させる必要は無く、発熱素子の冷却優先順位に応じて、適宜増減させても良い。
【００５０】
実施の形態５．
次に、この発明の実施の形態５による液冷冷却器について説明する。この発明の実施の形態５による液冷冷却器は、冷却液の流通方向の最も上流側に配置した発熱素子から最も下流側に配置した発熱素子に至るまでの間に於いて、冷却液の温度上昇に応じて、放熱フィンの1個当たりの体積を変化させたことを特徴とする。
【００５１】
図８は、この発明の実施の形態５による液冷冷却器に於けるヒートシンクを示す斜視図であって、放熱フィンが図の上方となるようにして示したものである。図８に於ける矢印Ａは冷却液の流通方向を示している。図８に示すように、冷却液の流通方向の最も上流側に配置した発熱素子から最も下流側に配置した発熱素子に至るまでの間に於いて、冷却液の温度上昇に応じて、放熱フィン５の太さを漸次大きくして放熱フィン５の1個当たりの体積を増加させている。
【００５２】
放熱フィン５の体積が増加すると、放熱フィン５の表面積が増加するとともに、冷却液通路６の断面積も減少するため、冷却液の流速が増加する。放熱フィン５の表面積が増加し、冷却液の流速が増加することにより、放熱フィン５の放熱能力が増加するため、熱抵抗が減少する。
【００５３】
尚、放熱フィン５の１個当たりの体積は、必ずしも冷却液の流通方向に下流側に向かって増加させる必要は無く、発熱素子の冷却優先順位に応じて、適宜増減させても良い。
【００５４】
実施の形態６．
次に、この発明の実施の形態６による液冷冷却器について説明する。この発明の実施の形態６による液冷冷却器は、放熱フィンを冷却液の流通方向の下流側に向かって傾斜したことを特徴としている。
【００５５】
図９は、この発明の実施の形態６による液冷冷却器に於けるヒートシンクを示す斜視図であって、ヒートシンクベース部材４の第１の面部４１が図の上方に位置するように、図１に示すヒートシンク４０の上下を反転させて表示している。図９に示すように、ヒートシンクベース部材４の第１の面部４１には、縦横に整列した多数の放熱フィン５が設けられている。これ等の放熱フィン５の長さ方向は、ヒートシンクベース部材４の第１の面部４１と直交する方向Ｖに対して所定の角度θで冷却液の流通方向Ａの下流側に向かって傾斜している。ここで、角度θを傾斜角度と称する。
【００５６】
図１０及び図１１は、この発明の実施の形態６による液冷冷却器に於けるヒートシンクの説明図である。図１０及び図１１に示すように、夫々の放熱フィン５は、その長さ方向に対して直交する方向の断面が四角形を成している。ここで、四角形とは、正方形、長方形、若しくは菱形の何れをも含むものとする。放熱フィン５の第１の稜線５１は、その放熱フィン５の他の部位よりも冷却液の流通方向Ａの最も上流側に位置し、第１の稜線５１に対向する第２の稜線５２は、その放熱フィン５の他の部位よりも冷却液の流通方向Ａの最も下流側に位置している。
【００５７】
ここで、冷却液の流通方向Ａに対して直交する方向に整列する複数の放熱フィン群を「放熱フィン行群」と称し、冷却液の流通方向Ａに整列する複数の放熱フィン群を「放熱フィン列群」と称する。放熱フィン行群に於いては、隣接する放熱フィン５同士の間には第１の間隙５０ａが設けられている。又、放熱フィン列群に於いては、隣接する放熱フィン５同士の間には第２の間隙５０ｂが設けられている。第１の間隙５０ａの大きさと第２の間隙５０ｂの大きさは、同一であると否とを問わない。
【００５８】
一つの放熱フィン行群の個々の放熱フィン５は、隣接する放熱フィン行群の前述の第１の間隙５０ａに対応する位置に配置されている。同様に、一つの放熱フィン列群の個々の放熱フィン５は、隣接する放熱フィン列群の前述の第２の間隙５０ｂに対応する位置に配置されている（図１参照）。
【００５９】
尚、前述のように放熱フィン５は、ヒートシンクベース部材４の第１の面部４１と直交する方向Ｖに対して所定の角度θで冷却液の流通方向Ａの下流側に向かって傾斜した柱状体であり、図９、図１０、及び図１１では、その断面形状が四角形である四角柱としているが、放熱フィン５の形状は、円柱、楕円柱、円錐、楕円錐、四角柱以外の多角柱、多角推等であってもよい。
【００６０】
前述したように、放熱フィン５は、ヒートシンクベース部材４の第１の面部４１と直交する方向Ｖに対して所定の傾斜角度θで冷却液の流通方向Ａの下流側へ傾斜しているため、図１０及び図１１に示すように、冷却液の流通方向Ａの上流側に位置する第１の稜線５１に接する第１のフィン面５３と第２のフィン面５４は、ヒートシンクベース部材４の第１の面部４１に対して鈍角を成して延びている。一方、冷却液の流通方向Ａの下流側に位置する第２の稜線５２に接する第３のフィン面５５と第４のフィン面５６は、ヒートシンクベース部材４の第１の面部４１に対して鋭角を成して延びている。
【００６１】
次に、放熱フィン５の周辺に於ける冷却液の流れについて説明する。図１０に示すように、冷却液は、ヒートシンクベース部材４の第１の面部４１と成す角度が鈍角である放熱フィン５の側面を成す第１のフィン面５３と第２のフィン面５４に接触すると、ヒートシンクベース部材４の第１の面部４１に対して平行な方向に流れの向きを変える（細い実線で示す矢印参照）だけでなく、ヒートシンクベース部材４の第１の面部４１から離れるように、ヒートシンクベース部材４の第１の面部４１に対して垂直な方向にも流れの向きを変える（細い波線で示す矢印参照）。
【００６２】
更に、図１１に示すように、冷却液は、ヒートシンクベース部材４の第１の面部４１との成す角度が鋭角である放熱フィン５の側面を成す第３のフィン面５５と第４のフィン面５６に接触すると、ヒートシンクベース部材４の第１の面部４１に対して平行な方向に流れの向きを変える（図４の細い実線で示す矢印参照）だけでなく、ヒートシンクベース部材４の第１の面部４１に近付くように、ヒートシンクベース部材４の第１の面部４１に対して垂直な方向にも流れの向きを変える（図４の細い波線で示す矢印参照）。
【００６３】
以上述べたように、この発明の実施の形態６による液冷冷却器によれば、冷却液が、放熱フィン５により、ヒートシンクベース部材４の第１の面部４１に対して平行な方向と、垂直な方向と、の双方向に撹拌される。放熱フィン５は、前述のように放熱フィン行群と放熱フィン列群に整列して配置されており、放熱フィン行群の個々の放熱フィン５は、隣接する放熱フィン行群に於ける個々の放熱フィン５間の第１の所定の間隙５０に対応する位置に配置されている（図１参照）。
【００６４】
従って、冷却液は、必ず放熱フィン５の側面としての第１のフィン面５３と第２のフィン面５４に衝突するため、冷却液通路６の内部を直進して進むことができず、ヒートシンクベース部材４の第１の面部４１に対して平行な方向と垂直な方向との双方向に十分に撹拌される。そのため、放熱フィン５は、発熱素子を固定しているヒートシンクベース部材４にだけ設ければよく、ウォータージャケット７の底部７１に設ける必要がない。従って、液冷冷却器の小型化が可能となる。
【００６５】
図１２Ａは液冷冷却器の放熱性能を説明するグラフであって、放熱フィンの熱伝達率を数値シミュレーションで計算し、傾斜方向の違いによる放熱性能を比較したグラフである。図１２Ａに於いて、縦軸は「熱伝達率」［ａ．ｕ］（arbitrary  unit：任意単位）、横軸は「放熱フィン上流からの距離」［ａ．ｕ］である。ここで、「放熱フィン上流からの距離」とは、１個の放熱フィン５に於ける冷却液の流通方向Ａの最上流側の部位からその放熱フィンの長さ方向の各部位までの距離である。
【００６６】
つまり、前述の実施の形態６の場合、及び図１２Ｂに示すように、放熱フィン５が前述の傾斜角θで冷却液の流通方向Ａの下流側へ傾斜している場合には、放熱フィン５に於ける冷却液の流通方向Ａの最上流側の部位はヒートシンクベース部材４の第１の面部４１と接する放熱フィン５の根本部分であるから、「放熱フィン上流からの距離」とは、放熱フィン５の根元部分から冷却液の流通方向Ａの下流側に向かって傾斜して延びる放熱フィン５の長さ方向の各部位までの距離を意味する。一方、図１２Ｃに示すように、放熱フィン５が前述の傾斜角θで冷却液の流通方向Ａの上流側へ傾斜している場合には、放熱フィン５に於ける冷却液の流通方向Ａの最上流側の部位は放熱フィン５の根本部分とは逆の先端部分であるから、「放熱フィン上流からの距離」とは、放熱フィン５の根元部分とは逆の先端部分から放熱フィン５の長さ方向の各部位までの距離を意味する。
【００６７】
図１２Ａに於いて、実線Ｘは、この発明の実施の形態６、及び図１２Ｂに示すように、放熱フィン５が冷却液の流通方向Ａの下流側に向かって傾斜角θで傾斜している場合の放熱フィンの放熱特性を示している。破線Ｙは、図１２Ｃに示すように、放熱フィン５が冷却液の流通方向Ａの上流側に向かって傾斜角θで傾斜している場合の放熱フィンの放熱特性を示している。図１２Ｃに示す放熱特性Ｘと放熱特性Ｙとの比較から、放熱フィンの各部位に於ける熱伝達率は、冷却液の流通方向Ａの上流からの距離の如何にかかわらず、冷却液の流通方向Ａの下流側に向かって傾斜している実施の形態１、及び図１２Ｂに示す放熱フィンの方が、冷却液の流通方向Ａの上流側に向かって傾斜している放熱フィンよりも、熱伝達率が高く、放熱性能が優れていることが分かる。
【００６８】
以上述べたこの発明の実施の形態６による液冷冷却器に於ける放熱フィン５は、アルミニウム、銅、セラミックス等の良熱伝導性材料を用いて、切削、鍛造、ダイカスト、３Ｄプリンタ等による加工により製作することが出来る。
【００６９】
又、放熱フィンの製作の初期段階では、ヒートシンクベース部材の第１の面部に垂直に放熱フィンを形成し、その後、その垂直に形成された放熱フィンに外力を加えて冷却液の流通方向の下流側に向かって傾斜させることにより、放熱フィン５を製作するようにしてもよい。
【００７０】
尚、ヒートシンクベース部材４の第１の面部４１に於ける放熱フィン５の存在していない領域に凹凸を設け、冷却液の流れを攪乱して放熱能力を向上させるようにしても良いし、放熱フィン５の傾斜角θを、ヒートシンクベース部材４の第１の面部４１に於ける放熱フィン５の存在位置に応じて変えるようにしても良い。
【００７１】
実施の形態７．
次に、この発明の実施の形態７による液冷冷却器について説明する。この発明の実施の形態７による液冷冷却器は、放熱フィンの形状を、三角柱、四角柱、若しくは六角柱とし、個々の放熱フィンの側面が、隣接する他の放熱フィンの側面と平行に配置するようにしたことを特徴としている。その他の構成は、前述の実施の形態１の場合と同様である。
【００７２】
図１３は、この発明の実施の形態７による液冷冷却器に於ける放熱フィンを示す説明図である。図１３に於いて、ヒートシンクベース部材４の第１の面部４１（図１−図４参照）に設けられた個々の放熱フィン５０１は、その長さ方向に直交する横断面が三角形状をなした三角柱で構成され、隣接する放熱フィン５０１の互いに対向するフィン面５０１ａ同士が平行となるように配置されている。冷却液は、矢印Ａの方向に流通する。各放熱フィン５０１は、夫々冷却液の流通方向Ａに向かって、傾斜角θで傾斜している。その他の構成は、前述の実施の形態６の場合と同様である。
【００７３】
図１４は、この発明の実施の形態７による液冷冷却器に於ける放熱フィンの変形例を示す説明図である。図１４に於いて、ヒートシンクベース部材４の第１の面部４１（図１、図９−図１１参照）に設けられた放熱フィン５０２は、その長さ方向に直交する横断面が四角形状をなした四角柱で構成され、隣接する放熱フィン５０２の互いに対向するフィン面５０２ａ同士が平行となるように配置されている。冷却液は、矢印Ａの方向に流通する。各放熱フィン５０２は、夫々冷却液の流通方向Ａに向かって、傾斜角θで傾斜している。その他の構成は、前述の実施の形態６の場合と同様である。
【００７４】
図１５は、この発明の実施の形態７による液冷冷却器に於ける放熱フィンの更に別の変形例を示す説明図である。図１５に於いて、ヒートシンクベース部材４の第１の面部４１（図１、図９−図１１参照）に設けられた放熱フィン５０３は、その長さ方向に直交する横断面が六角形状をなした六角柱で構成され、隣接する放熱フィン５０３の互いに対向するフィン面５０３ａ同士が平行となるように配置されている。冷却液は、矢印Ａの方向に流通する。各放熱フィン５０３は、夫々冷却液の流通方向Ａに向かって、傾斜角θで傾斜している。その他の構成は、前述の実施の形態６の場合と同様である。
【００７５】
図１３、図１４、及び図１５に示す実施の形態７による液冷冷却器によれば、実施の形態６の場合と同様に、放熱フィン５０１、５０２、及び５０３に於ける、ヒートシンクベース部材４の第１の面部４１と成す角度が鈍角であるのフィン面に接触した冷却液は、ヒートシンクベース部材４の第１の面部４１に対して平行な方向に流れの向きを変えるだけでなく、ヒートシンクベース部材４の第１の面部４１から離れるように、ヒートシンクベース部材４の第１の面部４１に対して垂直な方向にも流れの向きを変える。更に、放熱フィン５０１、５０２、及び５０３に於ける、ヒートシンクベース部材４の第１の面部４１との成す角度が鋭角であるフィン面に接触した冷却液は、ヒートシンクベース部材４の第１の面部４１に対して平行な方向に流れの向きを変えるだけでなく、ヒートシンクベース部材４の第１の面部４１に近付くように、ヒートシンクベース部材４の第１の面部４１に対して垂直な方向にも流れの向きを変える。
【００７６】
従って、冷却液は、ヒートシンクベース部材４の第１の面部４１に対して平行な方向と垂直な方向との双方向に十分に撹拌される。そのため、放熱フィン５０１、５０２、及び５０３は、発熱素子を固定しているヒートシンクベース部材４にだけ設ければよく、ウォータージャケット７の底部７１に設ける必要がない。従って、液冷冷却器の小型化が可能となる。
【００７７】
前述のように、放熱フィン形状を三角柱、四角柱、もしくは六角柱とすれば、寸法の調整により隣接する放熱フィンの側面と側面を全て平行に配置することが可能となる。隣接する放熱フィンの側面が並行であるということは、隣接する放熱フィンと放熱フィンの隙間が一定に保たれているということであり、隣接する放熱フィンと放熱フィンの間を流れる冷却液の流速が一定に保たれるということである。例えば、隣接する放熱フィンと放熱フィンの最小間隙寸法が定められている場合には、全ての隣接する放熱フィンと放熱フィンの間隙の寸法を最小隙間寸法とすることにより、隣接する放熱フィンと放熱フィンの間を流れる冷却液の流速を寸法制約内で最大とすることが出来る。放熱フィンの放熱能力は冷却液の流速が大きい程大きくなるため、この発明の実施の形態２による液冷冷却器の冷却性能は高くなる。
【００７８】
実施の形態８．
次に、この発明の実施の形態８による液冷冷却器に於ける放熱フィンの製造方法について説明する。実施の形態８による液冷冷却器に於ける放熱フィンの製造方法は、直径の異なる複数の円形刃を有する切削工具を用いて放熱フィンを製造することを特徴としており、前述の実施の形態１及び実施の形態２による液冷冷却器に於ける放熱フィンのように、放熱フィンがヒートシンクベース部材の第１の面部から冷却液の流通方向の下流側に向かって全体的に傾斜している場合の、液冷冷却器に於ける放熱フィンの製造方法である。
【００７９】
図１６、及び図１７は、この発明の実施の形態３による液冷冷却器の放熱フィンの製造方法を示す説明図である。先ず、図１６に示すように、アルミニウム、銅、セラミックス等の良熱伝導性材料からなるヒートシンクベース部材４に、押出し加工等により、所定の厚さ寸法、及び所定の縦幅寸法、所定の横幅寸法のプレート状の放熱フィン領域５１０を形成する。尚、ヒートシンクベース部材４を予め放熱フィン領域５１０を含めた板厚とし、切削等により、所定の厚さ寸法、及び所定の縦幅寸法、所定の横幅寸法のプレート状の放熱フィン領域５１０を形成するようにしてもよい。
【００８０】
次に、図１７に示す直径の異なる複数の円形刃１４１、１４２、１４３を軸１５に所定の間隔で等間隔に配置した切削工具２００を用いて、図１６に示す矢印Ｄ、Ｅのうちの何れか一方の方向に、放熱フィン領域５１０を所定の傾斜角度で切削して所定間隔の傾斜した溝を形成する。次に、矢印Ｄ、Ｅのうちの他方の方向に、その切削工具２００を用いて放熱フィン領域５１０を所定の傾斜角度で切削して所定間隔の傾斜した溝を形成する。このように矢印Ｄ、Ｅの双方向に放熱フィン領域５１０に傾斜した溝を形成することで、図１７に示す放熱フィン５０５を形成する。
【００８１】
切削工具２００は、図１７に示すように、直径の異なる複数の円形刃１４１、１４２、１４３を所定の間隔で等間隔に軸１５に固定したものであり、放熱フィン領域５１０の平面に対して軸１５を傾斜角度θだけ傾けて回転させることにより、放熱フィン領域５１０に同時に複数の傾斜した溝を形成することで、容易に傾斜角度θで傾斜した多数の放熱フィン５０５を容易に製造することが出来る。
【００８２】
実施の形態９．
前述の実施の形態８による液冷冷却器に於ける放熱フィンの製造方法は、放熱フィンがヒートシンクベース部材の第１の面部から冷却液の流通方向の下流側に向かって全体的に傾斜している場合の、液冷冷却器に於ける放熱フィンの製造方法に関するものであり、直径の異なる複数の円形刃を有する切削工具を用いて放熱フィンを製造することを特徴としている。しかしながら、円形刃の枚数を多くすると、直径が極めて大きい円形刃や直径が極めて小さい円形刃が必要となる。作業性を考慮すれば、直径が過度に大きい円形刃や直径が過度に小さい円形刃を用いることが出来ないので、実用上、直径の異なる円形刃の枚数には限度があり、従って、一度に加工できる溝の数は限定されることになる。
【００８３】
この発明の実施の形態９による液冷冷却器、及びその液冷冷却器に於ける放熱フィンの製造方法は、実施の形態８による放熱フィンの製造方法に於ける前述のような課題を解決するものであり、同一の直径を有する複数の円形刃を備えた切削工具を用いて効率よく製造することができる放熱フィンを備えた液冷冷却器、及びその液冷冷却器に於ける放熱フィンの製造方法を提供するものである。
【００８４】
先ず、この発明の実施の形態９による液冷冷却器について説明する。この発明の実施の形態９による液冷冷却器は、放熱フィンを、ヒートシンクベース部材の第１の面部に接した傾斜部と、この傾斜部からヒートシンクベース部材の第１の面部に対して垂直に延びる直立部とにより構成したことを特徴とする。その他の構成は、前述の実施の形態１又は実施の形態２と同様である。
【００８５】
図１８は、この発明の実施の形態９による液冷冷却器のヒートシンクを示す斜視図、図１９は、この発明の実施の形態９による液冷冷却器のヒートシンクを示す側面図である。図１８及び図１９に於いて、ヒートシンクベース部材４の第１の面部４１に設けられた個々の放熱フィン５０４は、実施の形態１の場合と同様に、放熱フィン行群として整列されていると共に、放熱フィン列群としても整列されている。放熱フィン５０４は、前述の実施の形態２に於ける図６に示すような三角柱により構成されている。尚、三角柱以外の形状であってもでも良いことは勿論である。
【００８６】
図１９によく示されているように、個々の放熱フィン５０４は、ヒートシンクベース部材４の第１の面部４１に接する部位、つまり放熱フィン５０４の根元部分、に形成された傾斜部５０４ａと、この傾斜部５０４ａからヒートシンクベース部材４の第１の面部４１に対して垂直に延びる直立部５０４ｂとにより構成されている。放熱フィン５０４の傾斜部５０４ａは、傾斜角θで冷却液の通流方向Ａの下流側に向かって傾斜している。放熱フィンの直立部５０４ｂは、傾斜部５０４ａ以外の部位により構成される。
【００８７】
冷却液の温度分布は、ヒートシンクベース部材４に近い部分が特に高温となりやすいため、傾斜部５０４ａを放熱フィン５０４の根元部分に設け、ヒートシンクベース部材４の第１の面部４１の付近を流通する冷却液を主低的に撹拌させることで、液冷冷却器の冷却性能を向上させる。
【００８８】
次に、この発明の実施の形態９による液冷冷却器に於ける放熱フィンの製造方法について説明する。この発明の実施の形態９による放熱フィンの製造方法は、前述の図１８及び図１９に示す液冷冷却器に於ける放熱フィンを製造する方法であって、傾斜部を含む櫛歯状の複数の突条体を押し出し加工等により形成し、その後、その突条体を、同一直径を有する複数の円形刃によりヒートシンクベース部材の面部に対して垂直方向に切削加工を行なうことで、放熱フィンを製造することを特徴とする。
【００８９】
押し出し加工等により形成された櫛歯状の突条体が傾斜部のみしか備えていない場合、円形刃にてヒートシンクベース部材の面部に対して垂直方向に切削加工した場合、突条体の多くの部位が切除されてしまい根元部分しか残らないことになるが、この発明の実施の形態４によれば、突条体を、ヒートシンクベース部材の面部に接続される根元部分に形成した傾斜突条部と、この傾斜突条部からヒートシンクベース部材の面部に対して垂直方向に延びる直立突条部とにより構成しているので、円形刃にてヒートシンクベース部材の面部に対して垂直方向に切削加工しても、根元部分の傾斜突条部と直立突条部とを備えた放熱フィンが形成される。
【００９０】
図２０は、この発明の実施の形態４による液冷冷却器の放熱フィンの製造方法を説明するための斜視図である。先ず、図２０に示すように、アルミニウム、銅、セラミックス等の良熱伝導性材料からなるヒートシンクベース部材４に、押出し加工等により、ヒートシンクベース部材４の第１の面部４１上に、行方向に連続して延びる突条体５００を所定の間隔を介して列方向に整列させて形成する。行方向に連続する突条体５００は、図１９にも示されるように、ヒートシンクベース部材４の第１の面部４１に接する部位に傾斜角θで傾斜する傾斜突条部５００ａと、この傾斜突条部５００ａからヒートシンクベース部材４の第１の面部４１に対して垂直に延びる直立突条部５００ｂとにより構成されている。
【００９１】
次に、図２０に示すように、櫛歯状に形成された突条体５００を、同一直径を有する複数の円形刃を軸方向に等間隔に配置した切削工具により、矢印Ｂ方向と矢印Ｃ方向のうちの何れか一方の方向に、所定幅の複数の溝を等間隔に切削して形成する。次に矢印Ｂ方向と矢印Ｃ方向のうちの他方の方向に、所定幅の溝を等間隔に切削して形成する。ここで、同一直径を有する複数の円形刃は、突条体５００の直立突条部５００ｂをヒートシンクベース部材４の第１の面部４１に対して垂直に切削する。この切削加工により、図１８に示す個々の放熱フィン５０４が形成されたヒートシンク４０を製造することができる。
【００９２】
この発明の実施の形態９による液冷冷却器に於ける、放熱フィンの製造方法によれば、実施の形態８の場合のように円形刃の枚数に制限を受けることがないので、円形刃の枚数を増大させることで、極めて効率よく容易に放熱フィンを製造することが出来る。
【００９３】
尚、この発明は、その発明の範囲内に於いて、実施の形態を適宜、変形、省略することが可能である。
【産業上の利用可能性】
【００９４】
この発明は、半導体素子等の発熱素子を冷却する液冷冷却器の分野、ひいてはその液冷冷却器を用いる例えば自動車産業の分野に利用することが出来る。
【符号の説明】
【００９５】
１００  液冷冷却器、１  第１の発熱素子、２  第２の発熱素子、３  第３の発熱素子、４０  ヒートシンク、４  ヒートシンクベース部材、４１  第１の面部、４２  第２の面部、５００  突条体、５００ａ  傾斜突条部、５００ｂ  直立突条部、５、５０１、５０２、５０３、５０４、５０５  放熱フィン、５０１ａ、５０２ａ、５０３ａ  フィン面、５０４ａ  傾斜部、５０４ｂ  直立部、５０ａ  第１の間隙、５０ｂ  第２の間隙、５１  第１の稜線、５２  第２の稜線、５３  第１のフィン面、５４  第２のフィン面、５５  第３のフィン面、５６  第４のフィン面、６  冷却液通路、７  ウォータージャケット、７１  底部、７２  周壁部、７２１、７２２  短辺部、７２３、７２４  長辺部、８  冷却液入口パイプ、９  冷却液出口パイプ、５１０  放熱フィン領域、２００  切削工具、１４１、１４２、１４３  円形刃。  
【図１】
2016194158.tif 000003
【図２】
2016194158.tif 000004
【図３】
2016194158.tif 000005
【図４】
2016194158.tif 000006
【図５】
2016194158.tif 000007
【図６】
2016194158.tif 000008
【図７】
2016194158.tif 000009
【図８】
2016194158.tif 000010
【図９】
2016194158.tif 000011
【図１０】
2016194158.tif 000012
【図１１】
2016194158.tif 000013
【図１２Ａ】
2016194158.tif 000014
【図１２Ｂ】
2016194158.tif 000015
【図１２Ｃ】
2016194158.tif 000016
【図１３】
2016194158.tif 000017
【図１４】
2016194158.tif 000018
【図１５】
2016194158.tif 000019
【図１６】
2016194158.tif 000020
【図１７】
2016194158.tif 000021
【図１８】
2016194158.tif 000022
【図１９】
2016194158.tif 000023
【図２０】
2016194158.tif 000024
【国際調査報告】
2016194158.tif 000025
2016194158.tif 000026
2016194158.tif 000027
2016194158.tif 000028
2016194158.tif 000029
2016194158.tif 000030
2016194158.tif 000031
2016194158.tif 000032